(57)【要約】      （修正有）【課題】冷蔵庫の負圧を解消する構造を提供する。【解決手段】貯蔵室と、貯蔵室を開閉する扉３１と、扉３１の全周囲で取り付けられ、扉３１が閉状態のときに扉３１と貯蔵室を密閉する扉パッキング３３と、を備え、扉パッキング３３は、扉３１に形成された溝３５に取り付ける部分３７と、扉３１と密閉するひれ形状３９と、磁石を取り付ける袋形状４１と、を備え、４辺のうち少なくとも１辺の扉に形成された溝に取り付ける部分３７が、切欠かれ、扉を開状態にする際、扉パッキングが変形して、切欠きから庫内の空気が外気と連通する、冷蔵庫。【選択図】図６
2019108998.tif 000002
【特許請求の範囲】
【請求項１】
貯蔵室と、
前記貯蔵室を開閉する扉と、
前記扉の４辺を含む全周囲で取り付けられ、前記扉が閉状態のときに前記扉と前記貯蔵室を密閉する扉パッキングと、を備え、
前記扉パッキングは、前記扉に形成された溝に取り付ける部分と、前記扉と密閉するひれ形状と、磁石を取り付ける袋形状と、を備え、
４辺のうち少なくとも１辺の前記扉パッキングの前記扉に形成された溝に取り付ける部分が、切欠かれ、
前記扉を開状態にする際、前記扉パッキングが変形して、切欠きから庫内の空気が外気と連通する、冷蔵庫。
【請求項２】
貯蔵室と、
前記貯蔵室を開閉する扉と、
前記扉の４辺を含む全周囲で取り付けられ、前記扉が閉状態のときに前記扉と前記貯蔵室を密閉する扉パッキングと、を備え、
前記扉パッキングは、前記扉に形成された溝に取り付ける部分と、前記扉と密閉するひれ形状と、磁石を取り付ける袋形状と、を備え、
４辺のうち少なくとも１辺の前記扉パッキングの前記扉に形成された溝に取り付ける部分の根元が、辺の方向に切り込みを入れられ、
前記扉を開状態にする際、前記扉パッキングが変形して、切り込みから庫内の空気が外気と連通する、冷蔵庫。
【請求項３】
前記切欠きまたは前記切り込みは、長さが１００ｍｍ以下である、請求項１または２に記載の冷蔵庫。
【請求項４】
前記切欠きまたは前記切り込みは、１辺または各辺に複数ある、請求項１乃至３のいずれか１項に記載の冷蔵庫。
【請求項５】
前記扉は、回転式扉、引き出し式扉である、請求項１乃至４のいずれか１項に記載の冷蔵庫。
【発明の詳細な説明】
【技術分野】
【０００１】
本発明は、冷蔵庫の扉に取り付けられた扉パッキングに関する。
【背景技術】
【０００２】
冷蔵庫といった保温装置は、貯蔵室が、扉パッキングが取り付けられた扉により開閉するように構成される。貯蔵室が扉パッキングにより密閉された冷蔵庫では、庫内の空気が冷やされることにより収縮し、庫内に負圧が生じる。この負圧により貯蔵室と扉パッキングの密着が強くなり、開放するときに大きな力が必要となる。
【０００３】
開放するための力を軽減するため、負圧を開放する構成が考えられている。例えば、特許文献１に開示されているように、扉に把手を設けた操作杆を取り付け、断熱扉に連通孔を開閉する弁を設け、把手が弁から離れると弁が開き、負圧を開放する冷蔵庫が知られている。また、特許文献２に開示されているように、ドアを閉鎖位置から前方へ押し出す駆動源により、ガスケットを弾性的に変形させ、貯蔵室内を開放することにより、貯蔵室内の負圧を軽減する冷蔵庫が知られている。
【先行技術文献】
【特許文献】
【０００４】
【特許文献１】特開平８−２３３４４０号公報
【特許文献２】特開２００９−０５２７８７号公報
【発明の概要】
【発明が解決しようとする課題】
【０００５】
しかしながら、特許文献１では、弁を構成するための弁体と開放するばねを付加する必要があり、構成が複雑になり、さらに断熱性能が低下するという問題がある。また特許文献２では、駆動源を付加する必要があり、同様に構成が複雑になるという問題がある。このように複雑な構成を付加することは、コスト上昇の要因となる。
【０００６】
そこで、本発明の目的は、上記の課題を解決し、複雑でない構成で、断熱性能が低下することなく、負圧を開放する冷蔵庫、すなわち、コストの上昇を抑えながら、利便性に優れた冷蔵庫を提供することにある。
【課題を解決するための手段】
【０００７】
上記課題を解決するため、本発明に係る冷蔵庫は、次のように構成したことを特徴とする。
【０００８】
まず、本発明の冷蔵庫は、貯蔵室と、前記貯蔵室を開閉する扉と、前記扉の４辺を含む全周囲で取り付けられ、前記扉が閉状態のときに前記扉と前記貯蔵室を密閉する扉パッキングと、を備え、前記扉パッキングは、前記扉に形成された溝に取り付ける部分と、前記扉と密閉するひれ形状と、磁石を取り付ける袋形状と、を備え、４辺のうち少なくとも１辺の前記扉パッキングの前記扉に形成された溝に取り付ける部分が、切欠かれ、前記扉を開状態にする際、前記扉パッキングが変形して、切欠きから庫内の空気が外気と連通する、ことを特徴としている。
【０００９】
扉パッキングの扉に取り付ける部分が切欠かれていることにより、扉を開放する際、扉パッキングが変形して、切欠きから庫内の空気と外気が連通し、庫内の負圧を開放する。
【００１０】
また、本発明の冷蔵庫は、貯蔵室と、前記貯蔵室を開閉する扉と、前記扉の４辺を含む全周囲で取り付けられ、前記扉が閉状態のときに前記扉と前記貯蔵室を密閉する扉パッキングと、を備え、前記扉パッキングは、前記扉に形成された溝に取り付ける部分と、前記扉と密閉するひれ形状と、磁石を取り付ける袋形状と、を備え、４辺のうち少なくとも１辺の前記扉パッキングの前記扉に形成された溝に取り付ける部分の根元が、辺の方向に切り込みを入れられ、前記扉を開状態にする際、前記扉パッキングが変形して、切り込みから庫内の空気が外気と連通する、ことを特徴としている。
【００１１】
扉パッキングの扉に取り付ける部分の根元に、切り込みが入れられていることにより、扉を開放する際、扉パッキングが変形して、切り込みから庫内の空気と外気が連通し、庫内の負圧を開放する。
【００１２】
また、本発明は、前記切欠きまたは前記切り込みは、長さが１００ｍｍ以下である、ことを特徴としている。
【００１３】
上記切欠きまたは切り込みのパッキングの取り付け部に平行方向への長さは、長くすると、扉への取り付けが緩くなり、扉パッキングが外れてしまう虞がある。また、扉を閉めた状態での密閉度が落ちるため、１００ｍｍ以下が好ましい。
【００１４】
また、本発明は、前記切欠きまたは前記切り込みは、１辺または各辺に複数ある、ことを特徴としている。
【００１５】
上記切欠きまたは切り込みは、扉の４辺のうち、１辺に複数あることができ、各辺に複数あってもよい。その結果、庫内の空気と外気が連通しやすくなり、好ましい。
【００１６】
また、本発明は、前記扉は、回転式扉または引き出し式扉である、ことを特徴としている。
【００１７】
本発明に係る扉は、扉に取り付けられた扉パッキングが貯蔵庫と密着するあらゆる扉に用いることができる。この場合、回転式扉、引き出し式扉であることが好ましい。
【００１８】
また、本発明は、扉パッキングを利用している冷蔵庫以外の機器である、温蔵庫、チェスト等にも採用できる。
【図面の簡単な説明】
【００１９】
【図１】本発明の１つの実施形態に係る冷蔵庫全体を概略的に示す斜視図である。
【図２】図１に示す冷蔵庫の扉を外した状態を概略的に示す斜視図である。
【図３】図１に示す扉の扉パッキングが取り付けられた状態を概略的に示す斜視図である。
【図４】（ａ）図１に示す扉の扉パッキングが取り外された状態を概略的に示す斜視図と、（ｂ）図１に示す扉の扉パッキングを概略的に示す斜視図である。
【図５】図１のＡ−Ａ断面を示す平面断面図である。
【図６】図５に示す扉パッキングの領域を拡大して示した図であって、扉に取り付けられた扉パッキングが貯蔵室を密閉している状態を示す断面図である。
【図７】本発明の実施形態１に係る扉パッキングを示す図であって、（ａ）扉パッキングの扉に形成された溝に取り付ける部分の切欠きを示す断面図と、（ｂ）扉パッキングの扉に形成された溝に取り付ける部分の切欠きを側面から見た図である。
【図８】本発明の実施形態２に係る扉パッキングを示す図であって、（ａ）扉パッキングの扉に形成された溝に取り付ける部分の切り込みを示す断面図と、（ｂ）扉パッキングの扉に形成された溝に取り付ける部分の切り込みを側面から見た図である。
【図９】本発明の実施形態１に係る切欠きの部分で扉に取り付けられた扉パッキングが貯蔵室を密閉している状態を示す断面図である。
【図１０】本発明の実施形態１に係る切欠きの部分で扉に取り付けられた扉パッキングが貯蔵室を解放する直前の状態を示す側面の断面図である。
【発明を実施するための形態】
【００２０】
以下、図面を参照しながら、本発明を実施するための様々な実施形態を説明する。各図面中、同一の機能を有する対応する部材には、同一符号を付している。要点の説明または理解の容易性を考慮して、便宜上実施形態を分けて示すが、異なる実施形態で示した構成の部分的な置換または組み合わせは可能である。実施形態２以降では、実施形態１と共通の事柄についての記述を省略し、異なる点についてのみ説明する。特に、同様の構成による同様の作用効果については、実施形態ごとに逐次言及しないものとする。
【００２１】
（冷蔵庫の全体構成について）
図１は、本発明の１つの実施形態に係る冷蔵庫全体を概略的に示す斜視図である。図１のように、本発明の１つの実施形態の冷蔵庫１１は、その内部に食品等の貯蔵ができる冷蔵庫本体１３を備える。冷蔵庫本体１３は、その前方の開口を開閉する扉１５を備える。
【００２２】
図２は、図１に示す冷蔵庫の扉を外した状態を概略的に示す斜視図である。図２を参照しながら、冷蔵庫を構成する部品を説明する。
【００２３】
冷蔵庫本体１３は、前側の開口を除き、断熱材が配置された冷蔵庫本体１３の上面部、下面部、背面部、両方の側面部で囲まれている。扉１５の閉鎖時に、これら上面部、下面部及び両側面部の開口側の面部２１ａから２１ｄにおいて、扉パッキングと密着する。
【００２４】
貯蔵室２３には、複数の棚２５ａから２５ｅを備え、多数の食品等を貯蔵でき、貯蔵室のスペースを有効に活用できる。ここでは、１ドアの冷蔵庫で、貯蔵室は１つであり、温度は各棚において概略一定である。
【００２５】
（扉パッキングの説明）
図３は、図１に示す扉の扉パッキングが取り付けられた状態を概略的に示す斜視図である。図４（ａ）は、図１に示す扉の扉パッキングが取り外された状態を概略的に示す斜視図であり、図４（ｂ）は、図１に示す扉の扉パッキングを概略的に示す斜視図である。図５は、図１のＡ−Ａ断面を示す平面断面図である。図３乃至５を参照しながら、冷蔵庫の扉を構成する扉パッキングの説明を行う。
【００２６】
図３を用いて、扉１５の形状および機能について説明する。扉１５は、貯蔵室の前側の開口側の面部にあわせて、略長方形状をしている。扉１５の内面は、貯蔵機能を有する棚を備えることができる。扉１５は一定の厚みを有して断熱性を備え、後述するように、扉パッキングにより外気を遮断することで冷蔵庫は保温性を備える。扉１５の外面は、図１に示されるよう平面とされるが、表示装置等を取り付けて、庫内の状態をモニタしてもよい。
【００２７】
図４を用いて、扉１５に対する扉パッキングの配置及び着脱について説明する。扉１５は、図４（ａ）に示す扉外形部材３１と図４（ｂ）に示す扉パッキング３３とに分離できる。扉外形部材は扉の外形と機能の大半を占めるものであり、以後、区別せず扉と称呼する。
【００２８】
冷蔵庫本体１３の開口側の面部２１ａから２１ｄは、塗装鋼板で形成されており、扉１５の内面の外周と密着するための吸着部を備える。扉パッキング３３は、この吸着部に対応する位置に配置される。そのため、扉３１のこの４辺の吸着部に対応する全周囲にわたって扉パッキング３３が設けられる。扉３１にはその全周囲にわたって、溝が切ってあり、扉パッキング３３は、扉に取り付ける部分を溝に差し込むことで取り付けられる。
【００２９】
図５を用いて、扉に扉パッキングが取り付けられた状態について説明する。図５は、冷蔵庫本体１３が扉３１に閉じられた閉状態の断面図である。この閉状態で、扉パッキング３３は、扉３１の左右両側に、扉３１と冷蔵庫本体１３の間に配置されている。
【００３０】
冷蔵庫本体１３と扉３１は、閉じた空間である貯蔵室２３を形成する。扉パッキング３３が、冷蔵庫本体１３の庫内の空気と扉３１の外の空気を遮断することで内部が密閉される。内部が密閉されることで、庫内の空気が外気と分離して冷却され、温度が下がる。庫内の温度が下がり、密閉されていることで、庫内の空気が収縮し、庫内に負圧を生じる。さらに、扉を開放する時には扉パッキングの磁石による磁力が解除できるまで扉パッキングが伸び、より庫内が負圧になる。
【００３１】
また、貯蔵室の数に対応して１つの扉としたが、本発明はこれに限定されず、貯蔵室が複数であれば複数の扉を備えることができる。
【００３２】
次に図６は、図５に示す扉パッキングの領域を拡大して示した図であって、扉に取り付けられた扉パッキングが貯蔵室を密閉している状態を示す断面図である。図６を用いて本発明の扉パッキングについて、更に詳細に説明する。
【００３３】
扉パッキング３３は、ウレタンゴム、シリコーンゴム、エチレンプロピレンゴム、クロロプレンゴム、などのゴム、ポリエチレン樹脂、ポリ塩化ビニルなどを用いることができる。これらの材質は、耐候性、耐薬品性などを考えて選択すればよい。
【００３４】
扉パッキング３３は、弾性変形性を有する。すなわち、扉パッキング３３は、扉３１を閉めたときは、冷蔵庫本体１３の密着部に対応して容易に圧縮変形し、扉３１を開き扉パッキング３３が冷蔵庫本体１３から離れたときは、復元する。これにより、貯蔵室内部を密閉することができる。また、この弾性変形性により、扉パッキング３３は、扉３１に圧縮して嵌めこんだ後、復元して、取り付けることができる。
【００３５】
扉パッキング３３は、扉に形成された溝に取り付ける部分３７を備える。扉３１の全周囲にわたって断面円形状の溝３５が切られており、扉パッキング３３は、溝３５に密接して嵌まる胴部の先に、矢印の断面を有するストッパを有する、溝に取り付ける部分３７を備える。これを、この溝に取り付ける部分３７を溝３５に嵌めこむことで扉パッキングを扉３１に取り付ける。
【００３６】
溝に取り付ける部分３７は、溝３５に密接して嵌まる胴部により、扉３１と扉パッキング３３の間から空気が連通することを防ぐことができる。また、上述の矢印の断面を有するストッパにより、扉３１を開放する際に、冷蔵庫本体１３と扉パッキング３３の密着力が扉パッキング３３と扉３１の接続力に打ち勝って扉パッキングが外れてしまうことがない。
【００３７】
また、扉パッキング３３は、ひれ形状３９を備える。扉パッキング３３は、扉３１が閉状態において、このひれ形状３９が弾性変形し、溝３５の周囲近辺の平坦な部分と密着することで、扉３１と扉パッキングをさらに密閉する。
【００３８】
また、扉パッキング３３は、磁石を取り付ける袋形状４１を備える。この磁石の磁力は冷蔵庫本体１３と密着するための力となり、扉パッキング３３と一体であるため扉３１と冷蔵庫本体１３を引きつけることができる。扉パッキング３３は、扉３１が閉状態において、この磁石を取り付ける袋形状４１によって、冷蔵庫本体１３の吸着部と密着する。
【００３９】
（実施形態１）
図７は、本発明の実施形態１に係る扉パッキングを示す図であって、（ａ）扉パッキングの扉に形成された溝に取り付ける部分の切欠きを示す断面図と、（ｂ）扉パッキングの扉に形成された溝に取り付ける部分の切欠きを側面から見た図である。図７を用いて、本発明の実施形態１を説明する。
【００４０】
図７（ａ）を参照すると、扉パッキングは、扉に形成された溝に取り付ける部分が切欠かれた部分１４３を備える。溝に取り付ける部分が根元から、磁石を取り付ける袋形状４１とひれ形状３９を残すように切欠かれ、このようにすることで扉が閉状態では、密閉を維持し、この部分で扉が開放される際、庫内の空気と外気が連通する。
【００４１】
図７（ａ）では、切欠かれてなくなっている部分を、白抜きの点線で表す。したがって、この部分では溝と嵌合しない。また、ひれ形状３９と磁石４２が入った磁石を取り付ける袋形状４１は、連続して成形されている。これを矢視Ｂ−Ｂの方向から確認した側面図が、図７（ｂ）である。扉パッキングの一部が、扉パッキングを取り付ける長さ方向にわたって切欠かれていることがわかる。この部分は、取り付けができないため、切欠きの左右にある取り付ける部分３７に連係して、ひれ形状３９と磁石を取り付ける袋形状４１が取り付けられている。
【００４２】
切欠きの形状は、ここでは一例として、角を丸めた長方形をなしている。取り付け部分の強度を維持しつつ、外気と庫内の空気が連通したときの開口の大きくできることを考慮するとこのような長方形がよい。
【００４３】
この長方形の切欠かれた部分１４３の取り付ける長さ方向への長さは、長くすると、扉への取り付けが緩くなり、扉を開放する際、力がかかったときに扉パッキングが外れてしまう虞がある。また、扉を閉めた状態での密閉度が落ちるため、１００ｍｍ以下が好ましい。さらに好ましくは１０ｍｍ以上８０ｍｍ以下であることが好ましい。
【００４４】
角は、補強されるよう厚みが増していてもよい。角を丸めることで、パッキングの耐用強度を上げることができ、厚みを増すことでさらに耐用強度を上げることができる。
【００４５】
切欠かれた部分の形状に限定はなく、三角形、逆三角形、平行四辺形、台形、長方形の角を取った六角形、正方形、楕円形等でもよい。扉が閉状態のときに密閉を維持でき、扉が開状態になる際に、変形したときに庫内の空気と外気が連通する開口が開けばよい。
【００４６】
（実施形態２）
図８は、本発明の実施形態２に係る扉パッキングを示す図であって、（ａ）扉パッキングの扉に形成された溝に取り付ける部分の切り込みを示す断面図と、（ｂ）扉パッキングの扉に形成された溝に取り付ける部分の切り込みを側面から見た図である。図８を用いて、本発明の実施形態２を説明する。
【００４７】
図８（ａ）を参照すると、扉パッキングは、扉に形成された溝に取り付ける部分３７に切り込みを入れられた部分２４３を備える。切り込み２４３は、扉に形成された溝に取り付ける部分の根元、すなわち、扉パッキングのひれ形状３９の下部であって、溝に取り付ける部分３７の上にある。切り込み２４３の形状は、直線形状をしている。このようにすることで扉が閉状態では、密閉を維持し、扉が開放される際、この部分が変形し、開口して庫内の空気と外気が連通する。
【００４８】
図８（ａ）では、溝に取り付ける部分３７の根元に切り込みが入れられているため、この部分では取り付ける力がないが、扉の溝に、部分３７が嵌めこまれる。この扉パッキングを矢視Ｃ−Ｃの方向から確認した側面図が、図８（ｂ）である。扉パッキングの一部が、扉パッキングを取り付ける長さ方向にわたって切り込みが入れられていることがわかる。ひれ形状３９と磁石４２が入った磁石を取り付ける袋形状４１、扉に形成された溝に取り付ける部分３７は、パッキングの配置に平行して連続して形成され、扉に取り付けられる。
【００４９】
切り込みの形状は、ここでは一例として、パッキングの溝に取り付ける部分に沿って平行な直線をなしている。変形したときに大きく開口が開きやすいため、外気と庫内の空気を連通するには直線が好ましい。
【００５０】
この切り込みが入れられた部分２４３の長さは、長くすると、扉への取り付けが緩くなり、扉を開放して、力がかかったときに扉パッキングが外れてしまう虞がある。また、扉を閉めた状態での密閉度が落ちるため、１００ｍｍ以下が好ましい。さらに好ましくは１０ｍｍ以上８０ｍｍ以下であることが好ましい。
【００５１】
切り込みの周囲は、補強するように厚みが増していてもよい。また、その端部は、丸みを帯びて、応力を分散するようにしていてもよい。このようにすることで切り込みの耐用強度を上げることができる。
【００５２】
切り込みは、穴が空けられたようにくりぬかれていても、閉じていてもよい。また、その端部が角を取ったように丸められていてもよい。さらに、形状がパッキングに平行でなく、斜めになっていてもよく、ジグザグ形状であってもよい。扉が閉状態のときに密閉を維持でき、扉が開状態になる際に、変形したときに庫内の空気と外気が連通する開口が開けばよい。
【実施例１】
【００５３】
実施の形態１に係る切欠きの部分で扉に取り付けられた冷蔵庫の実施例を示す。
【００５４】
図９は、本発明の実施形態１に係る切欠きの部分で扉に取り付けられた扉パッキングが貯蔵室を密閉している状態を示す断面図である。図１０は、本発明の実施形態１に係る切欠きの部分で扉に取り付けられた扉パッキングが貯蔵室を解放する直前の状態を示す側面の断面図である。図９を用いて、扉パッキングが扉を密閉している状態を説明する。
【００５５】
図９に示す通り、既存の冷蔵庫を用いているため、従来と同様に溝３５が形成されている。しかしながら、扉パッキング３３はその取り付け部分１４３が切欠かれているので、この部分は空隙になっている。この切欠かれて空隙になっている部分は、取り付け強度と弾性変形性を考慮して、長さ５０ｍｍで扉の左右１箇所ずつ、計２箇所に開けられている。
【００５６】
扉３１は、磁石によって冷蔵庫本体１３と密着されている。また、ひれ形状３９が弾性変形することによって、扉３１の平坦な部分と密着し、密閉が保たれている。
【００５７】
図１０に示す通り、扉が開状態になる際、扉に引っ張られて、扉パッキング３３が変形する。扉パッキング３３が変形して生じた連通孔１５１により、庫内の空気と外気が連通する。これにより、庫内の負圧が解消されて、扉３１が、小さな力で開放される。
【００５８】
本発明を適用した冷蔵庫は、従来の冷蔵庫に比べて、扉の開放力が約２．５ｋｇｆから約２．０ｋｇｆへ２割程度減少した。
【００５９】
ここでは、切欠きが、扉の４辺のうち２辺の左右１箇所ずつある場合を示したが、扉の４辺のうち１辺に複数あってもよく、各辺に１つまたは複数あってもよい。その結果、庫内の空気と外気が連通しやすくなり、好ましい。
【００６０】
また、実施形態２のような切り込みも同様に、扉が開状態になる際に、扉に引っ張られて変形してまたは変形せずに、連通孔が生じ、庫内の空気と外気が連通する。これにより、庫内の負圧が解消されて、扉が小さな力で開放される。
【００６１】
このような切り込みの場合も、扉の４辺のうち１箇所ある場合のみならず、扉の４辺のうち、１辺に複数あることができ、各辺に複数あってもよい。その結果、庫内の空気と外気が連通しやすくなり、好ましい。
【００６２】
本発明に係る扉は、扉に取り付けられた扉パッキングが貯蔵庫と密着するあらゆる扉に用いることができる。本実施例では、回転式扉、引き出し式扉に適用できる。
【００６３】
本実施例は、冷蔵庫によるものを示したが、本発明は、扉パッキングを利用している冷蔵庫以外の機器である、温蔵庫、チェスト等にも採用できる。
【００６４】
本発明により、冷蔵庫が扉の開放時に扉パッキングが変形するという性質を利用して、負圧を開放することができる。すなわち、コストの上昇を抑えながら、利便性に優れた冷蔵庫を提供することができる。
【符号の説明】
【００６５】
１３  冷蔵庫本体
１５  扉
２１ａ〜２１ｄ  冷蔵庫本体の開口側の面部
２３  貯蔵室
２５ａ〜２５ｅ  棚
３１  扉
３３  扉パッキング
３５  溝
３７  溝に取り付ける部分
３９  ひれ形状
４１  磁石を取り付ける袋形状
４２  磁石（フェライトゴム）
１４３  溝に取り付ける部分が切欠かれた部分
１５１  連通孔
２４３  溝に取り付ける部分に切り込みを入れられた部分
【図１】
2019108998.tif 000003
【図２】
2019108998.tif 000004
【図３】
2019108998.tif 000005
【図４】
2019108998.tif 000006
【図５】
2019108998.tif 000007
【図６】
2019108998.tif 000008
【図７】
2019108998.tif 000009
【図８】
2019108998.tif 000010
【図９】
2019108998.tif 000011
【図１０】
2019108998.tif 000012